(57)【要約】【課題】ポケットを着脱自在に取り付けることが可能なダイビング用スーツを提供する。【解決手段】身体を被うスーツ本体２に、一端から他端にかけて挿通孔３１２が形成された１個もしくは複数個のポケット取付部３を設ける。これにより、ポケット取付部３の挿通孔３１２にポケットの係止バンドを挿通して、ポケットを着脱自在に取り付けることが可能となり、必要に応じてポケットを泳ぎの邪魔になることなく取り付けることが可能となる。【選択図】図１
2008208485.tif 000002
【特許請求の範囲】
【請求項１】
身体を被うスーツ本体に、一端から他端にかけて挿通孔が形成された１個もしくは複数個のポケット取付部が設けられてなり、
前記各ポケット取付部の挿通孔に、ポケットの係止バンドが挿通されて着脱自在に取り付けられることを特徴とするダイビング用スーツ。
【請求項２】
前記ポケット取付部が、前記スーツ本体に直接又はベース布を介して縫着され、対向する両端縁の縫着部による単一の挿通孔もしくは対向する両端縁の縫着部及び両端縁間を複数個に分割する端縁と平行な１本又は複数本の縫着部による複数個の挿通孔を有する帯状片であることを特徴とする請求項１に記載のダイビング用スーツ。
【請求項３】
前記帯状片が、ポケットの係止バンドの挿通方向に沿って各挿通孔を対向させて複数本並列して縫着されていることを特徴とする請求項２に記載のダイビング用スーツ。
【発明の詳細な説明】
【技術分野】
【０００１】
本発明は、身体を被うスーツ本体に設けられたポケット取付部にポケットを着脱自在に取り付けることが可能なダイビング用スーツに関する。
【背景技術】
【０００２】
海面下へ潜るダイバーが着用する衣服にポケットが設けられたものとして、特許文献１に示されるようなＢＣジャケット（浮力調整器）がある。しかしながら、特許文献１のＢＣジャケットに設けられたポケットは浮力調整用のウェイトを収納するためのものであり、水中で必要な器材等を出し入れするのに適した構成とはされていなかった。また、ＢＣジャケットは、上半身に着用されるものであるため、ポケットを設けることができる面積は限られており、ポケットの数（収納量）には限りがあった。
【０００３】
そこで、ウェットスーツやドライスーツなどのダイビング用スーツ（例えば、特許文献２〜３）にポケットを接着や縫着により設けることが考えられる。ダイビング用スーツは、ダイバーの全身を被うものであるから、ＢＣジャケットと比べてポケットを設けることができる面積は広く、多くの数のポケットを設けることが可能である。
【特許文献１】特開２００５−１１２１４７号公報
【特許文献２】特開２０００−３１２５４８７号公報
【特許文献３】特開２００２−２３４４８９号公報
【発明の開示】
【発明が解決しようとする課題】
【０００４】
しかしながら、接着や縫着によりダイビング用スーツに固定されたポケットは、器材等が収納されない場合、空気や水が溜まって泳ぎの邪魔となる可能性がある。従って、ダイビング用スーツには、器材等を収納する必要がある場合のみ、ポケットが取り付けられることが好ましい。
【０００５】
なお、ポケット付きのベルトを太股や腰に巻き、器材等を収納するためのポケットを身に付けることも知られているが、ポケット付きのベルトには、泳ぐとずれて、足ヒレを使った泳ぎの邪魔になるという欠点があった。
【０００６】
本発明は、このような状況に鑑みてなされたものであって、ポケットを着脱自在に取り付けることができるダイビング用スーツを提供することを目的としている。
【課題を解決するための手段】
【０００７】
本発明に係るダイビング用スーツは、身体を被うスーツ本体に、一端から他端にかけて挿通孔が形成された１個もしくは複数個のポケット取付部が設けられてなり、前記各ポケット取付部の挿通孔に、ポケットの係止バンドが挿通されて着脱自在に取り付けられることを特徴とする。
【０００８】
この構成により、ポケット取付部の挿通孔に係止バンドを挿通して、着脱自在にポケットを取り付けることが可能となる。つまり、必要に応じてポケットを泳ぎの邪魔になることなく取り付けることができる。
【０００９】
また、本発明に係るダイビング用スーツでは、前記ポケット取付部が、前記スーツ本体に直接又はベース布を介して縫着され、対向する両端縁の縫着部による単一の挿通孔もしくは対向する両端縁の縫着部及び両端縁間を複数個に分割する端縁と平行な１本又は複数本の縫着部による複数個の挿通孔を有する帯状片であることを特徴とする。
【００１０】
この構成により、１個又は複数個の挿通孔を有するポケット取付部をスーツ本体に設けることができる。よって、挿通孔にポケットの係止バンドを挿通してポケットを必要に応じて取り付けることができる。特に、ポケット取付部が複数個の挿通孔を有する場合には、係止バンドを複数本有するポケットを取り付けたり、ポケットの取付位置を挿通方向と交差する方向に沿って調整したりすることができる。
【００１１】
また、前記帯状片が、ポケットの係止バンドの挿通方向に沿って各挿通孔を対向させて複数本並列して縫着されていることを特徴とする。
【００１２】
この構成により、係止バンドの挿通方向に連続する複数個の挿通孔を備えることができる。よって、ポケットの係止バンドの長さに合わせて係止バンドを挿通させる挿通孔の数を調整したり、ポケットの取付位置を挿通方向に沿って調整したりすることができる。
【発明の効果】
【００１３】
本発明によれば、身体を被うスーツ本体に一端から他端にかけて挿通孔が形成された１個もしくは複数個のポケット取付部が設けられるので、ポケット取付部の挿通孔に係止バンドを挿通して、着脱自在にポケットを取り付けることができる。
【発明を実施するための最良の形態】
【００１４】
以下、本発明の実施の形態について、図面を参照して説明する。
【００１５】
＜実施の形態１＞
図１は、本発明の実施の形態１に係るダイビング用スーツを示す正面図であり、図２は、図１のダイビング用スーツのポケット取付部を拡大した部分拡大図である。
【００１６】
本実施の形態に係るダイビング用スーツ１は、ダイバーの身体を被うスーツ本体２にポケット取付部３を設けて構成されている。
【００１７】
スーツ本体２としては、例えば、クロロプレンゴムの表面にナイロンやポリエステルをラミネートしてなる伸縮性素材から形成された保温性や防水性に優れたウェットスーツやドライスーツを挙げることができる。
【００１８】
ポケット取付部３は、スーツ本体２の前身頃において、腕部２１及び脚部２２に設けられており、各ポケット取付部３は、上端から下端にかけて、後述するポケット４の係止ベルト４２を挿通することができる挿通孔３１２を有している。具体的には、ポケット取付部３は、単一の帯状片３１の左端縁３１ａ及び右端縁３１ｂをスーツ本体２に縫着することにより形成され、両端縁の縫着部３１ａ，３１ｂによって上下方向の一端から他端にかけて挿通孔３１２を有している。
【００１９】
一方、ポケット取付部３に取付可能なポケット４は、図３に示すように、ポケット本体４１と、ポケット本体４１の背面側中央上端部及び中央下端部にそれぞれ一端部が縫着された係止バンド４２及び被係止バンド４３から構成されている。そして、係止バンド４２の他端部には、面ファスナー、例えば、ループテープ４４が設けられ、被係止バンド４３の他端部には、面ファスナー、例えば、フックテープ４５が設けられており、係止バンド４２の他端部及び被係止バンド４３の他端部は、面ファスナー４４，４５を介して付着されるようになっている。
【００２０】
なお、係止バンド４２の幅Ｗ２及び長さＬ２は、挿通孔３１２の幅Ｗ１及び長さＬ１に合わせて任意の大きさに設定されている。例えば、係止バンド４２の幅Ｗ２が広く設定された場合には、その幅Ｗ２に合わせて挿通孔３１２の幅が広く設定され、係止バンド４２の幅Ｗ２が狭く設定された場合には、その幅Ｗ２に合わせて挿通孔３１２の幅Ｗ１が狭く設定される。
【００２１】
次に、このようにして構成されたポケット取付部３に対してポケット４を取り付ける要領について説明する。
【００２２】
図４に示すように、ポケット４をポケット取付部３へ取り付けるには、ポケット取付部３の挿通孔３１２にポケット４の係止バンド４２を挿入し、その他端部を挿通孔３１２から引き出して、ループテープ４４を被係止バンド４３のフックテープ４５に付着させる。これにより、ポケット４はポケット取付部３に確実に固定される。逆に、ポケット取付部３からポケット４を外すには、ループテープ４４とフックテープ４５の付着を解除し、挿通孔３１２から係止バンド４２を引き抜けばよい。
【００２３】
このように、本実施の形態に係るダイビング用スーツ１は、係止バンド４２を備えたポケット４を着脱自在に取り付けることができる。
【００２４】
なお、本実施の形態に係るダイビング用スーツ１では、ポケット取付部３がスーツ本体２の前身頃の腕部２１及び脚部２２に設けられている場合を例示したが、ポケット取付部３は、スーツ本体２の前身頃の任意の位置に設けることができ、腕部２１及び脚部２２以外、例えば、胸部２３、腰部２４に設けられてもよい。
【００２５】
また、本実施の形態に係るダイビング用スーツ１では、ポケット取付部３が１つの挿通孔３１２を有している場合を例示したが、ポケット取付部３は複数個の挿通孔３１２を有していてよい。例えば、帯状片３１は、左右両端縁及び左右両端縁間を複数個に分割する左右各端縁と平行な複数箇所がスーツ本体２に縫着されることによって、隣接する縫着部間に複数個の挿通孔３１２を有する構成とされてもよい。このようにしてポケット取付部３に複数個の挿通孔３１２を備えると、ポケット取付部３が有する挿通孔３１２の数と同数もしくは少ない数の係止バンド４２を備えたポケット４を取り付けることができ、例えば、１本の係止バンド４２を備えるポケット４を取り付ける場合には、左右方向のいずれか１つの挿通孔３１２に係止バンド４２を挿入してポケット４を左右方向の所望の位置に取り付けることが可能であり、ポケット取付部３が有する挿通孔３１２の数と同数の係止バンド４２を備えるポケット４を取り付ける場合には、各係止バンド４２を左右方向の各挿通孔３１２にそれぞれ挿入して、ポケット４を安定に取り付けることが可能である。
【００２６】
また、本実施の形態に係るダイビング用スーツ１では、帯状片３１をスーツ本体２に直接縫着した場合を例示したが、帯状片３１をベース布を介してスーツ本体２に縫着しても構わない。
【００２７】
＜実施の形態２＞
図５は、本発明の実施の形態２に係るダイビング用スーツを示す正面図であり、図６は、図５のダイビング用スーツのポケット取付部を拡大した部分拡大図である。
【００２８】
本実施の形態に係るダイビング用スーツ１は、実施の形態１に係るダイビング用スーツ１と同様に、ダイバーの身体を被うスーツ本体２に、一端から他端にかけて挿通孔３１２ａ，３１２ｂ，３１２ｃ，３１２ｄを備えるポケット取付部３が設けられた構成とされている。
【００２９】
以下、実施の形態１に係るダイビング用スーツ１と異なる点について主に説明する。
【００３０】
ポケット取付部３は、ベース布３４を介してスーツ本体２の腰部２４に設けられている。
【００３１】
そして、ポケット取付部３は、ベース布３４に上下方向に間隔をおいて並設された複数本の帯状片３１、具体的には４本の帯状片３１によって構成されており、各帯状片３１は、左右両端縁３１ａ，３１ｅ及び左右両端縁間３１ａ，３１ｅを複数個に分割する左右各端縁３１ａ，３１ｅと平行な複数箇所３１ｂ，３１ｃ，３１ｄがベース布３４に縫着されることによって、隣接する縫着部３１ａ，３１ｂ，３１ｃ，３１ｄ，３１ｅの間に複数個の挿通孔３１２ａ，３１２ｂ，３１２ｃ，３１２ｄを、具体的には、５本の縫着部３１ａ，３１ｂ，３１ｃ，３１ｄ，３１ｅによって４つの挿通孔３１２ａ，３１２ｂ，３１２ｃ，３１２ｄを有している。
【００３２】
ここで、各帯状片３１の各挿通孔３１２ａ，３１２ｂ，３１２ｃ，３１２ｄは、後述するポケット４の係止バンド４２の幅Ｗ２に合わせてほぼ均等の幅Ｗ１を有しており、且つ、上下に隣接する帯状片３１において各挿通孔３１２ａ，３１２ｂ，３１２ｃ，３１２ｄは上下方向に連続するように設定されている。
【００３３】
一方、ポケット取付部３に取付可能なポケット４は、図７に示すように、ポケット本体４１の背面側に複数本の係止バンド４２及び被係止バンド４３を設けて構成されている。具体的には、ポケット本体４１の背面側上端部の左右及び下端部の左右にそれぞれ２本の係止バンド４２及び２本の被係止バンド４３の各一端が縫着されている。そして、各係止バンド４２の他端部には、面ファスナー、例えば、ループテープ４４が設けられ、各被係止バンド４３の他端部には、面ファスナー、例えば、フックテープ４５が設けられており、上下に対向する係止バンド４２の他端部及び被係止バンド４３の他端部は面ファスナー４４，４５を介して付着されるようになっている。
【００３４】
なお、図７に示すポケット４では、ポケット本体４１の背面側に２本の係止バンド４２を設けた場合を例示したが、ポケット本体４１の背面側に設けられる係止バンド４２の本数は、単一の帯状片３１に有する挿通孔３１２ａ，３１２ｂ，３１２ｃ，３１２ｄの数と同じか、それよりも少ない数であればいずれの数であってもよく、具体的には１本〜４本のいずれであってもよい。
【００３５】
また、係止バンド４２の長さＬ２は、ポケット取付部３の１つの帯状片３１の幅Ｗ３よりも長い長さであれば、いずれの長さであってもよい。
【００３６】
次に、このように構成されたポケット取付部３に対して、ポケット４を取り付ける要領について説明する。
【００３７】
図８に示すように、ポケット４をポケット取付部３へ取り付けるには、まず、ポケット取付部３の挿通孔３１２ａ，３１２ｄにポケット４の各係止バンド４２を挿入し、その他端部を挿通孔３１２ａ，３１２ｄから引き出して、ループテープ４４を被係止バンド４３のフックテープ４５に付着させる。この際、各係止バンド４２を上下方向のできるだけ多くの挿通孔３１２ａ，３１２ｄに挿入する。これにより、ポケット４はポケット取付部３に確実に固定される。逆に、ポケット取付部３からポケット４を外すには、ループテープ４４とフックテープ４５の付着を解除し、各係止バンド４２を各挿通孔３１２ａ，３１２ｄから引き抜けばよい。
【００３８】
本実施の形態に係るダイビング用スーツ１では、各帯状片３１による挿通孔３１２ａ，３１２ｂ，３１２ｃ，３１２ｄを左右方向に４個有しているので、ポケット取付部３には、係止バンド４２の数が１本〜４本の種々のポケット４を取り付けることができ、また、ポケット４の取付位置を必要に応じて左右方向に移動させることができる。例えば、１本の係止バンド４２を備えるポケット４を取り付ける場合には、左右方向の挿通孔３１２ａ，３１２ｂ，３１２ｃ，３１２ｄのいずれか１つに係止バンド４２を挿入してポケット４を左右方向の所望の位置に取り付けることができ、２本の係止バンド４２を有するポケット４を取り付ける場合には、左右方向の４つの挿通孔３１２ａ，３１２ｂ，３１２ｃ，３１２ｄのうち任意の２つに各係止バンド４２をそれぞれ挿入してポケット４を左右方向の所望の位置に取り付けることができ、４本の係止バンド４２を有するポケット４を取り付ける場合には、各係止バンド４を左右方向の各挿通孔３１２ａ，３１２ｂ，３１２ｃ，３１２ｄにそれぞれ挿入して安定にポケット４を取り付けることができる。
【００３９】
また、本実施の形態に係るダイビング用スーツ１では、各挿通孔３１２ａ，３１２ｂ，３１２ｃ，３１２ｄが上下方向に連続しているので、ポケット４の取付位置を必要に応じて上下方向に移動させたり、ポケット４の係止バンド４２の長さに合わせて、係止バンド４２を挿入する上下方向の挿通孔３１２ａ，３１２ｂ，３１２ｃ，３１２ｄの数を調整したりすることができる。例えば、係止バンド４２の長さＬ２が一番上に配設されている帯状片３１の上端縁から上から二番目に配設されている帯状片３１の下端縁までの距離Ｌ３よりも短い場合には、上下方向のいずれか１つの挿通孔３１２ａ，３１２ｂ，３１２ｃ，３１２ｄに係止バンド４２を挿入することにより、上下方向の所望の位置にポケット４を取り付けることができ、係止バンド４２の長さＬ２が一番上に配設されている帯状片３１の上端縁から一番下に配設されている帯状片３１の下端縁までの距離Ｌ４よりも長い場合には、上下方向の全ての挿通孔３１２ａ，３１２ｂ，３１２ｃ，３１２ｄに係止バンド４２を挿入することにより、ポケット４を安定に取り付けることができる。
【００４０】
なお、本実施の形態に係るダイビング用スーツ１では、幅Ｗ３の等しい複数本の帯状片３１が係止バンド４２の挿通方向、具体的には上下方向に並設された場合を例示しているが、幅Ｗ３の異なる複数本の帯状片３１が挿通方向に並設されてもよい。例えば、互いに幅Ｗ３の異なる２種類の帯状片３１が交互に並設されてもよく、このようにすると、大きなポケット４を取り付ける際には、ポケット４の荷重に耐え得る幅Ｗ３の広い方の帯状片３１にある挿通孔３１２ａ，３１２ｂ，３１２ｃ，３１２ｄに係止バンド４２を挿入し、小さなポケット４を固定する際には、幅Ｗ３の狭い方の帯状片３１にある挿通孔３１２ａ，３１２ｂ，３１２ｃ，３１２ｄに係止バンド４２を挿入するといった使い分けができる。
【００４１】
なお、実施の形態１又は実施の形態２に係るダイビング用スーツにおいて、ポケット取付部３１の中央左右両端部には、図９（ａ）に示すように、留め具としてスナップ、例えばソケットサイド５１が取り付けられていても構わない。このようにすると、係止バンド４２及び被係止バンド４３が備えられてある背面の中央左右両端部に、留め具としてスナップ、例えばボールサイド５２が取り付けられたポケット４の左右両脇を、図９（ｂ）に示すように、スナップ５１，５２の係合によりポケット取付部３に固定することができるから、ポケット４の両脇がスーツ本体２から浮いてしまうのを防止することができる。留め具としては、スナップの他に、かぎホック、面ファスナー、スライドファスナー、ボタン等を用いることができる。また、ポケット取付部３に設けられる留め具の位置は、任意の位置であってよく、例えば、大きさの異なる種々のポケット４をスーツ本体２に留め具を介して密に固定することができる中央部であってもよい。
【図面の簡単な説明】
【００４２】
【図１】本発明の実施の形態１に係るダイビング用スーツを示す正面図である。
【図２】図１のダイビング用スーツのポケット取付部を拡大した部分拡大図である。
【図３】図２に示すポケット取付部に取り付けることが可能なポケットの構成を示す背面図である。
【図４】本発明の実施の形態２に係るダイビング用スーツのポケット取付部へポケットを（ａ）、（ｂ）の順に沿って取り付ける方法を説明する説明図である。
【図５】本発明の実施の形態２に係るダイビング用スーツを示す正面図である。
【図６】図５のダイビング用スーツのポケット取付部を拡大した部分拡大図である。
【図７】図６に示すポケット取付部に取り付けることが可能なポケットの構成を示す背面図である。
【図８】本発明の実施の形態２に係るダイビング用スーツのポケット取付部へポケットを（ａ）、（ｂ）の順に沿って取り付ける方法を説明する説明図である。
【図９】本発明の実施の形態２に係るダイビング用スーツのポケット取付部の中央左右両端部に留め具を設けた場合のポケット取付部及びポケットの構成を示す部分拡大図であり、ポケット取付部へポケットが（ａ）、（ｂ）の順に沿って取り付けられた状態を示す図である。
【符号の説明】
【００４３】
１  ダイビング用スーツ
２  スーツ本体
２１  腕部
２２  脚部
２３  胸部
２４  腰部
３  ポケット取付部
３１  帯状片
３１ａ、３１ｂ、３１ｃ、３１ｄ、３１ｅ  縫着部
３１２、３１２ａ、３１２ｂ、３１２ｃ、３１２ｄ  挿通孔
３４  ベース布
４  ポケット
４１  ポケット本体
４２  係止バンド
４３  被係止バンド
４４  ループテープ
４５  フックテープ
５１  ソケットサイド
５２  ボールサイド
【図１】
2008208485.tif 000003
【図２】
2008208485.tif 000004
【図３】
2008208485.tif 000005
【図４】
2008208485.tif 000006
【図５】
2008208485.tif 000007
【図６】
2008208485.tif 000008
【図７】
2008208485.tif 000009
【図８】
2008208485.tif 000010
【図９】
2008208485.tif 000011